(57)【要約】テレビジョンのようなオーディオビジュアル番組の最初で生成されたメタデータは、オーディオ及び／又はビデオ情報のうちの１つを捕捉するため、ニュースレポータ３２及び／又はビデオグラファー３４のような製作要員により動作される捕捉装置４０に関連付けされるフィールドデバイス３０への送信を受ける。製作要員は、捕捉装置により捕捉されるオーディオ及び／又はビデオ情報のファイル構造への組み込みのためにメタデータを典型的に編集する。サーバ４２は、捕捉したオーディオ及び／又はビデオ情報のファイル構造におけるメタデータを使用してオリジナルメタデータを受信し、アップデートし、オリジナルのメタデータを効果的に採取する。
2009507421.tif 000002
【特許請求の範囲】
【請求項１】
メタデータをオーディオビジュアル情報と関連付けする方法であって、
処理のためにオーディオビジュアル情報と関連付けされたフィールドデバイスに第一のメタデータを送信するステップと、
前記フィールドデバイスからの編集された第一のメタデータと共にオーディオビジュアル情報を受けるサーバに第二の同じメタデータを送信するステップと、
前記第一の編集されたメタデータに従って前記サーバで受信された第二のメタデータをアップデートするステップと、
を含むことを特徴とする方法。
【請求項２】
前記第一及び第二のメタデータは同じである、
請求項１記載の方法。
【請求項３】
前記フィールドデバイスに送信される第一のメタデータを編集するために前記フィールドデバイスを動作するステップを更に含む、
請求項１記載の方法。
【請求項４】
前記第一の送信ステップは、無線通信ネットワークを通してフィールドデバイスに前記第一のメタデータを伝達するステップを含む、
請求項１記載の方法。
【請求項５】
前記サーバで受信される第二のメタデータをアップデートするステップは、
前記フィールドデバイスに送信される第一のメタデータにアイデンティフィケーションを割り当てるステップと、
前記サーバに送信される第二のメタデータに同じアイデンティフィケーションを割り当てるステップと、
前記フィールドデバイスからの編集された第一のメタデータを、前記アイデンティフィケーションを使用して前記サーバに送信された前記第二のメタデータと整合させるステップと、
を更に含む請求項１記載の方法。
【請求項６】
前記第一のメタデータは、アサインメントデータ、ロケーションデータ、要員データ、ストーリデータ、インタビューのための個人のデータのうちの少なくとも１つに関連する情報を含む、
請求項１記載の方法。
【請求項７】
前記フィールドデバイスに送信される第一のメタデータを編集するために前記フィールドデバイスを動作させるステップは、ストーリのロケーションで新たなリポータにより収集される情報を追加するために前記第一のメタデータを変更するステップを含む、
請求項３記載の方法。
【請求項８】
前記第一のメタデータを編集するために前記フィールドデバイスを動作させるステップは、画像の捕捉に関する情報を追加するために第一のメタデータを変更するステップを含む、
請求項３記載の方法。
【請求項９】
捕捉装置からのオーディオ及び／又はビデオ情報のうちの１つに前記フィールドデバイスからの編集された第一のメタデータを組み込むステップと、
前記第一の編集されたメタデータを組み込むオーディオ及び／又はビデオ情報のうちの１つを前記サーバに送信するステップと、
を更に含む請求項１記載の方法。
【請求項１０】
メタデータをオーディオビジュアル情報と関連付けする方法であって、
捕捉されるべきオーディオビジュアル情報と関連付けされたフィールドデバイスにメタデータを送信するステップと、前記メタデータは、オペレータによりフィールドデバイスで編集を受け、
前記フィールドデバイスからの編集されたメタデータと共に、捕捉されたオーディオビジュアル情報を受けるサーバにメタデータを送信するステップと、
前記フィールドデバイスから編集されたメタデータに従ってサーバで受信されたメタデータをアップデートするステップと、
を含むことを特徴とする方法。
【請求項１１】
無線通信ネットワークを通してフィールドデバイスにメタデータを伝達するステップを有する、
請求項１０記載の方法。
【請求項１２】
前記サーバで受信されたメタデータをアップデートするステップは、
前記フィールドデバイスに送信されたメタデータにアイデンティフィケーションを割り当てるステップと、
前記サーバに送信されたメタデータに同じアイデンティフィケーションを割り当てるステップと、
前記フィールドデバイスからの編集された第一のメタデータを、前記アイデンティフィケーションを使用して前記サーバに送信された第二のメタデータと整合させるステップと、
を更に含むことを特徴とする請求項１０記載の方法。
【請求項１３】
前記フィールドデバイスに送信されるメタデータは、アサインメントデータ、ロケーションデータ、要員データ、ストーリデータ、及びインタビューのための個人のデータのうちの少なくとも１つに関連する情報を含む、
請求項１０記載の方法。
【請求項１４】
捕捉装置からのオーディオ及び／又はビデオ情報のうちの１つに、前記フィールドデバイスからの編集されたメタデータを組み込むステップと、
前記第一の編集されたメタデータを組み込むオーディオ及び／又はビデオ情報を前記サーバに送信するステップと、
を更に含む請求項１記載の方法。
【発明の詳細な説明】
【技術分野】
【０００１】
本発明は、テレビジョンニュースのストーリのようなオーディオビジュアル番組の製作の間にメタデータを捕捉及び処理する技術に関する。  
本出願は、２００５年９月２日に提出された米国特許仮出願第６０／７１３８４８号に対するＵ.Ｓ.Ｃ.１１９（ｅ）の下で優先権を主張するものであり、その教示は、本明細書に盛り込まれる。
【背景技術】
【０００２】
テレビジョン製作機器の開発における進歩により、たとえばビデオレコーダ、サーバ及びカムコーダのような記録装置は、オーディオ及び／又はビデオ情報のみを記録するのみでなく、メタデータを記録することができる。かかるメタデータは、捕捉されたオーディオ及び／又はビデオ情報に関するデータを含む。かかるメタデータは、関連されるオーディオ及び／又はビデオ情報の捕捉の時間及び日付のようなシンプルな情報を含むことができる。より複雑なメタデータは、そのコンテンツのオーサリング及び編集に関連するデータと同様に、オーディオ及び／又はビデオ情報のコンテンツのアイデンティフィケーションを含むことができる。
【０００３】
オーディオ及び／又はビデオ情報の捕捉と共にメタデータを捕捉する技術は、かかるメタデータを関連付けする技術と同様に、公知になってきている。理解しにくいものとなっていることは、メタデータを利用する能力である。言い換えれば、製作要員が直面している問題は、製作プロセスにおいて支援することなしに単に記憶されたメタデータの形成よりはむしろ、製作要員を支援することができる「有効な」メタデータの生成である。
【発明の開示】
【発明が解決しようとする課題】
【０００４】
したがって、特に、テレビジョンニュースのマテリアルのようなイベントにより駆動されるオーディオビジュアルコンテンツといった、オーディオ−ビジュアルコンテンツの製作と共に有効なメタデータを生成及び関連付けする技術が必要とされている。
【課題を解決するための手段】
【０００５】
要するに、本発明の例示的な実施の形態によれば、メタデータを少なくともオーディオ及びビデオ情報と関連付けする技術が提供される。本方法は、メタデータを少なくとも１つのオーディオ及びビデオ情報の捕捉に関連するフィールドデバイスに送信することで始まり、これにより、メタデータは、そのデバイスのオペレータにより使用される。また、メタデータは、フィールドデバイスから受信された編集されたメタデータのような、編集されたメタデータと共にオーディオ及びビデオ情報のうちの少なくとも１つを受信することになる、サーバ等のようなストレージメカニズムに送信される。サーバで受信されたメタデータは、編集されたメタデータに従ってアップデートを受ける。このように、製作の最初で形成されたメタデータは、オーディオ及び／又はビデオ情報の捕捉に従ってフィールド要員による編集を受ける。
【０００６】
実際に、フィールドからの編集されたメタデータは、カムコーダ等のような捕捉装置によりフィールドで捕捉されたオーディオ及び／又はビデオ情報を受けるサーバでオリジナルのメタデータを更新する役割を果たす。したがって、サーバで記憶されるアップデートされたメタデータは、捕捉装置により捕捉される本質的なオブジェクトとの関連付けのために有効な情報を提供し、係るオブジェクトのセキュアな識別を可能にする。
【発明を実施するための最良の形態】
【０００７】
図１は、オーディオ及び／又はビデオ情報の捕捉と共に、有効なメタデータを捕捉する本発明に係るシステム１０のブロック図である。例示される実施の形態では、システム１０は、テレビジョンニュースの製作向けシステムの形式をとるが、本発明のメタデータ捕捉技術は、他のシステムの応用を有する。図１内の実線は、メタデータのフローを示し、破線ブロックは、追加及び／又は送信されるメタデータのタイプを示す。
【０００８】
図１０のシステムは、プログラムドプロセッサ１２を有しており、このプロセッサは、典型的に、ニュースストーリを収める要員による使用のためにアサインメント情報を生成可能なニュースルームコンピュータシステム（ＮＲＣＳ）の形式をとる。この機能を実行可能なニュースルームコンピュータシステムは、自動化されたニュースシステムの製作者から利用可能である。プロセッサ１２により生成されるアサインメント情報は、ニュースを集める要員により調べられるニュースストーリに関連されるメタデータを含む。かかるメタデータは、様々なソースから生じる。たとえば、プロセッサ１２は、たとえばReuters,  Associated  Press,  United  Press  Internationalのような１以上のニュースワイヤサービス１４（そのうちの１つのみが図示される）からのめたデータを受ける。ニュースワイヤサービス１４からのメタデータは、プロセッサ１２により生成されるストーリアサインメントへのアタッチメントのため、ブロック１６における説明文により示されるように、名前、ストーリロケーション、何れか他の情報を含む。実際、プロセッサ１２は、アサインメントエディタ１８、ニュースを集める要員のためにアサインメント情報を作成及び編集する個人からのメタデータを受ける。アサインメントエディタ１８は、ブロック２０における説明文により示されるように、インタビュー及びストーリロケーションの個人の名前を含む、“tickler”ファイルと呼ばれることがあるファイルからのメタデータを典型的に追加する。さらに、プロセッサ１２は、ブロック２１における説明文により示されるように、ステータスメタデータを受けることができる。
【０００９】
アサインメント情報を生成する過程で、プロセッサ１２は、ニュースを収集するどの要員がどのストーリを扱うかを示すアサインメントグリッド２２の形式で、アサインメント情報を提供する。プロセッサ１２は、アサインメント情報及びメタデータをサーバ２４に伝達し、このサーバも情報を記憶する。また、サーバ２４は、説明文「メイラー」により示される、インタフェース２５を通して受信されたメタデータを記憶する。かかるステータス情報は、ブロック２６における説明文により示されるように、スラグデータ（すなわち、将来のストーリのために確保されるブランクスペースを構成するスラグに関連するデータ）、ストーリロケーション、名前、セットアップ時間、番組時間を含む。
【００１０】
通信ネットワーク２８、典型的にはワイヤレス通信ネットワークは、サーバ２４から、たとえば、特定のニュースストーリに割り当てられるレポータ３２及びビデオグラファー（カメラマン）３４と関連付けされる、ラップトップ又はパーソナルコンピュータのようなフィールドデバイス３０にメタデータを送信する。サーバ２４は、アサインメントグリッド２２に含まれるアサインメントデータを利用して、適切なメタデータを対応するフィールドデバイス３０に送信し、これにより、レポータ３２及びビデオグラファーが、彼らが割り当てられた情報に関連するストーリを受ける。言い換えれば、サーバ２４は、リポータ３２及びビデオグラファー３４に、何処に行くべきか、誰にインタビューすべきかに関する命令、ワイヤサービス１４からのバックグランドワイヤストーリ、前のカバレッジからの注記、及び割り当てられた１又は複数のストーリに関連する他の情報を提供する。さらに、サーバ２４からのメタデータは、（たとえばリポータ３２及びビデオグラファー３４）特定のニュースチームに割り当てられた特定のストーリのアイデンティティを含む。このアイデンティティは、用語“ＭＯＳ−ＩＤ（Media  Object  Server  Identification）”により通常示される。フィールドデバイス３０を使用して、リポータ３２は、サーバ２４から送信されたメタデータを追加及び／又は編集することができる。たとえば、リポータ３２は、ブロック３６における説明文により示されるように、インタビューされた個人のアイデンティティ（たとえば名前）に関連する情報をリポータにより形成された注記と同様に追加する。ビデオグラファー３４は、ブロック３８における説明文により示されるように、捕捉される画像に関連される好適な設定及び／又は他の情報を示すメタデータを追加することができる。図１はれポータ３２及びビデオグラファー３４の両者を示しているが、一人が両方の機能を容易に果たすことができる。
【００１１】
フィールドデバイス３０は、それが受信したメタデータを捕捉装置４０に伝達し、この捕捉装置は、少なくとも１つのオーディオ／ビデオ情報を捕捉する。実際に、捕捉装置４０は、Thomson  Grass  Valleyから入手可能なインフィニティシリーズカムコーダのようなカムコーダの形式を取るが、捕捉装置は、ビデオテープレコーダ、ビデオディスクレコーダ又はサーバのようなビデオカメラと記録装置の組み合わせを有する。フィールドデバイス３０から捕捉装置４０により受信されたメタデータは、以下の１以上を含む。グローバルポジショニングサテライト情報、コンパスベアリング、レンズ設定、アスペクトレシオデータ、フィールドデバイス３０により生成され、及び／又はレポータ３２とビデオグラファー３４の１以上により手動で入力される任意の他のデータ。かかるメタデータは、ブロック４１における説明文により示される。メタデータは、捕捉装置の１以上のキー（図示せず）のエントリを通してビデオグラファー３４により捕捉装置４０に直接に入力される情報を含む。なお、フィールドデバイス３０及び捕捉装置４０は、個別のエレメントとして示されているが、単一のユニットが捕捉装置とフィールドデバイスの機能を果たすことも可能である。
【００１２】
捕捉装置４０に送出されるフィールドデバイス３０からのメタデータは、ビデオグラファー３４により捕捉装置に入力されるメタデータと共に、捕捉されたオーディオ及びビデオ情報のファイル構造に入力される。典型的に、ファイル構造は、メディア交換ファイル又はＭＸＦファイルを有するが、他のファイル構造を使用することもできる。記載されリやり方で、かかるメタデータを捕捉されたオーディオ及び／又はビジュアル情報のファイル構造に入力することは、長期のメタデータのパラドックスを解決し、すなわちニュース番組のようなオーディオビジュアル番組を製作する最初でどのようにメタデータを作成するかを解決する。記載されるように、捕捉装置４０により捕捉される捕捉されたオーディオ及び／又はビデオ情報のファイル構造で盛り込まれるメタデータは、アサインメントエディタ１８及びワイヤサービス１４により以前に作成されたメタデータを含む。したがって、フィールドデバイス３０は、サーバ２４で既に存在するメタデータをシンプルに「採取」する。
【００１３】
捕捉装置により捕捉されたオーディオ及び／ビデオ情報、かかる情報のファイル構造に入力されるメタデータは、捕捉装置４０からストレージメカニズム４２へのダウンロードを受ける。図１の例示的な実施の形態では、ストレージメカニズム４２は、捕捉装置４０からのオーディオ／ビデオ情報並びに関連されるメタデータを摂取（受信）する役割を果たすので、目的地“Ingest  Station（IS）”を担う。捕捉装置４０からダウンロードされたオーディオ及び／又はビデオ情報を介してフィールドデバイス３０からのメタデータを受信するのに加えて、ストレージメカニズム４２は、サーバを識別するＭＯＳ−ＩＤを含めて、サーバ２４によりフィールドデバイス３０にオリジナルに送出された同じメタデータを受信する。ブロック４４における説明文により示されるように、ストーリ、スラグ、スケジュール及び推定される到達時間（ＥＴＡ）に関連するメタデータのような更なるメタデータは、プロセッサ１２からのメタデータに追加される。さらに、ストレージメカニズム４２は、ボックス４５における説明文により示されるように、スケジュールを示すために関連される外部ソース（図示せず）からのメタデータである。
【００１４】
ストレージメカニズム４２は、様々なソースから受信されたメタデータのＭＯＳ−ＩＤを整合することで、捕捉装置４０から受信されたメタデータをサーバ２４から受信されたメタデータと整合する能力を有する。特に、ストレージメカニズム４２は、捕捉装置４０によりダウンロードされるオーディオ及び／又はビデオ情報のファイル構造におけるメタデータの一部を含むＭＯＳ−ＩＤを探し、それをサーバ２４から受信されたメタデータにおけるＭＯＳ−ＩＤと整合させる。このように、ストレージメカニズム４２は、かかるメタデータとどのような関係があるかを知ることができる。より重要なことは、サーバ４２は、捕捉装置４０からの編集されたメタデータによりプロセッサ１２により形成されたメタデータのアップデートに基づいて、システム１０を介して形成されたオーディオ及び／又はビデオ情報（たとえばニュースストーリ）に関連付けされるステータス情報をアップデートする。
【００１５】
多数の利益は、レポータ３２とビデオグラファー３４のうちの一方又は両方により入力され、作成及び／又は編集されたメタデータを使用する事から得られ、サーバ２４に記憶されたオリジナルメタデータがアップデートされる。たとえば、関連する端末をもつプロセッサで実行する編集ソフトウェアから構成される、ニュース編集ブロックを使用するエディタは、ストーリに割り当てられたリポータ及びビデオグラファーのアイデンティティのみでなく、限定するものではないが、未だダウンロードされていないマテリアルの推定される到達時間（ＥＴＡ）を含めてストーリの状態を判定するためのメタデータ情報を使用して、ストレージメカニズム４２にダウンロードされるオーディオ及び／又はビデオ情報を編集することができる。
【００１６】
メタデータの抽出及び使用は、プロダクションプロセスにおいて何処でも行うことができる。たとえば、リポータ３２及びビデオグラファー３４が所定の個人、すなわちＪｏｈｎ  Ｄｏｅをインタビューするタスクを有する状況を考える。インタビューのプロセスの間、カメラマン３２及び／又はビデオグラファー３４は、フィールドデバイス３０に送信されたメタデータの一部を含むアサインメント情報における名前のリストに対して、Ｊｏｈｎ  Ｄｏｅｓの名前をチェックする。名前が整合した場合、カメラマン３２又はビデオグラファーは、捕捉装置４０により捕捉された１以上のビデオフレームに名前を追加する。ニュースエディットブロック４８又は図１のシステム１０における何処かで実行するノンリニアエディタ（ＮＬＥ）プログラムは、１以上のコマンドでキャラクタジェネレータ（ＣＧ）のテンプレートに名前を入力し、これによりスペリング又はトランスクリプションエラーを回避する。これは、インタビューの対象の誤った識別の可能性を低減する。
【００１７】
サーバ４２は、ニュースエディットブロック４８にメタデータのソースとして機能する。さらに、サーバ４２は、シンプルデータデース（ＳＤＢ）のメタデータのソースとしての役割を果たし、ニュースエディットブロック４８を介して編集されるストーリのプレイリストは図示されていない。さらに、サーバ４２は、ニュースルームコンピュータシステムにメタデータを供給し、その例は、Associated  Pressから入手可能なＥＮＰＳ（Electronic  News  Room  Product  System）である。ニュースエディットブロック４８は、ブロック５１における説明文により示されるように、サーバ４２からのオーディオ及び／又はビデオ情報並びに関連されるメタデータの両者を受信するのみでなく、ストーリ、スラグ、ランニングオーダ、コンピュータグラフィックス、製作技術等に関連するメタデータを受信する。かかるメタデータは、ニュースルームコンピュータシステム（図示せず）及び／又は統合されたテレビジョン製作システム（ＩＰＳ）（図示せず）のような幾つかのソース（図示せず）のうちの１つから生じる。新たな編集端末は、編集されたニュースストーリクリップ（たとえば編集されたオーディオ及び／又はビデオ情報）を再生ユニット５０に提供する。さらに、新たな編集端末４８は、編集されたニュースクリップ（たとえば編集されたオーディオ及び／又はビデオ情報）及び随伴するメタデータをＩＰＳに供給する。サーバ４２から統合されたプロダクションシステムに供給される編集されたニュースクリップ（及び随伴するメタデータ）は、ブロック５３における説明文により示されるように、メタデータを含めて、キャラクタジェネレータ（図示せず）からの情報を含む。新たな編集ブロック４８は、他のディストリビューションのためにアセットマネージメントシステム（図示せず）に編集されたニュースストーリクリップを供給する。かかるアセットマネージメントシステムは、Thomson  Grass  Valleyから入手可能な“NewsBrowse”システムを有する。
【００１８】
再生ユニット５０は、新たなブロック４８からのニュースクリップを受信するのみでなく、サーバ４２及びＩＰＳからのオーディオ及び／又はビデオ情報を受信する。ＩＰＳからの情報は、ブロック５４における説明文により示されるように、ステータス情報を表すメタデータを含む。再生ユニット５０は、新たな編集端末４８からの編集された新たなニュースクリップ、サーバ４２及びＩＰＳからのオーディオ及び／又はビデオ情報を、ニュース編集ブロック４８、ニュースルームコンピュータシステム、アセットマネージメントシステム（たとえばNewsBrowse）、エディタ（図示せず）、及びスイッチャ／プロダクションシステム（ＰＳ）５７のうちの１以上に供給する。再生システム５０によりニュース編集ブロック４８に供給されるクリップは、ブロック５６における説明文により示されるように、スラグ及びそれらの実行順序に関連するメタデータを含む。ニュースルームコンピュータシステム、エディタ及び／又はアセットマネージメントシステム（NewsBrowse）に再生システム５０により供給されるクリップは、ブロック５８における説明文により示されるように、ステータスデータを含む。メタデータは、典型的にステータス情報の形式で、ブロック５９における説明文により示されるように、再生ユニット５２からスイッチャ／プロダクションシステム５７により受信されるオーディオ及び／又はビデオ情報を伴う。ブロック６０における説明文により示されるように、メタデータは、ストーリ、スラグ、オンエアタレント、グラフィックス特殊効果、キャラクタジェネレータデータ、製作技術、カメラデータ等に関連するフォーメーションを含み、サーバ２４からのスイッチャ／プロダクションシステム５７により受信されるアサインメント情報及び他のデータを伴う。メタデータは、典型的に、ブロック６２における説明文により示されるように、キャラクタジェネレータのプロキシ及び挿入情報の形式である、ニュース編集端末４８からスイッチャ／プロダクションシステム５６により受信された、オーディオ及び／又はビデオ情報及び他のメタデータを伴う。
【００１９】
スイッチャ／プロダクションシステム５７は、オーディオ及び／又はビデオ情報（及び随伴するメタデータ）を再生ユニット５０及び他のシステムデバイス（図示せず）に供給する。再生ユニット５０にスイッチャ／プロダクションシステム５７により供給されるオーディオ及び／又はビデオ情報は、ステータス情報を含むメタデータを含み、係る情報は、ブロック６４における説明文により示されるように、リリースされたオーディオ及び／又はビデオ情報に関連付けされる。スイッチャ／プロダクションシステム５７から他のシステムデバイスに供給されるオーディオ及び／又はビデオ情報及び随伴するメタデータは、ブロック６６における説明文により示されるように、グルーバルポジショニングサテライトデータ、及び捕捉装置４０又は他の係る装置（図示せず）のレンズ情報、グラフィックス及びキャラクタジェネレータの情報、スイッチャ／プロダクションシステムに対するアクペクトレシオに関連するメタデータを含む。
【００２０】
上述した内容は、オーディオビジュアル番組の制作の間のメタデータを捕捉及び処理する技術を記載するものである。
【図面の簡単な説明】
【００２１】
【図１−１】本発明に係るメタデータを説明するオーディオビジュアル製作のシステムのブロック図である。（図１−２につづく）
【図１−２】本発明に係るメタデータを説明するオーディオビジュアル製作のシステムのブロック図である。
【図１−１】
2009507421.tif 000003
【図１−２】
2009507421.tif 000004
【手続補正書】
【提出日】平成20年10月6日(2008.10.6)
【手続補正１】
【補正対象書類名】特許請求の範囲
【補正対象項目名】全文
【補正方法】変更
【補正の内容】
【特許請求の範囲】
【請求項１】
メタデータをオーディオビジュアル情報と関連付けする方法であって、
オーディオビジュアル情報の捕捉の前に、フィールドデバイスに第一のメタデータを送信するステップと、
前記オーディオビジュアル情報の捕捉に続いて、前記フィールドデバイスからの編集された第一のメタデータと共にオーディオビジュアル情報を受けるサーバに第二のメタデータを送信するステップと、
前記第一の編集されたメタデータに従って前記サーバで受信された第二のメタデータをアップデートするステップと、
を含むことを特徴とする方法。
【請求項２】
前記第一及び第二のメタデータは同じである、
請求項１記載の方法。
【請求項３】
前記フィールドデバイスに送信される第一のメタデータを編集するために前記フィールドデバイスを動作するステップを更に含む、
請求項１記載の方法。
【請求項４】
前記第一の送信ステップは、無線通信ネットワークを通してフィールドデバイスに前記第一のメタデータを伝達するステップを含む、
請求項１記載の方法。
【請求項５】
前記サーバで受信される第二のメタデータをアップデートするステップは、
前記フィールドデバイスに送信される第一のメタデータにアイデンティフィケーションを割り当てるステップと、
前記サーバに送信される第二のメタデータに同じアイデンティフィケーションを割り当てるステップと、
前記フィールドデバイスからの編集された第一のメタデータを、前記アイデンティフィケーションを使用して前記サーバに送信された前記第二のメタデータと整合させるステップと、
を更に含む請求項１記載の方法。
【請求項６】
前記第一のメタデータは、アサインメントデータ、ロケーションデータ、要員データ、ストーリデータ、インタビューのための個人のデータのうちの少なくとも１つに関連する情報を含む、
請求項１記載の方法。
【請求項７】
前記フィールドデバイスに送信される第一のメタデータを編集するために前記フィールドデバイスを動作させるステップは、ストーリのロケーションで新たなリポータにより収集される情報を追加するために前記第一のメタデータを変更するステップを含む、
請求項３記載の方法。
【請求項８】
前記第一のメタデータを編集するために前記フィールドデバイスを動作させるステップは、画像の捕捉に関する情報を追加するために第一のメタデータを変更するステップを含む、
請求項３記載の方法。
【請求項９】
捕捉装置からのオーディオ及び／又はビデオ情報のうちの１つに前記フィールドデバイスからの編集された第一のメタデータを組み込むステップと、
前記第一の編集されたメタデータを組み込むオーディオ及び／又はビデオ情報のうちの１つを前記サーバに送信するステップと、
を更に含む請求項１記載の方法。
【請求項１０】
メタデータをオーディオビジュアル情報と関連付けする方法であって、
オーディオビジュアル情報の捕捉の前に、フィールドデバイスにメタデータを送信するステップと、前記メタデータは、オペレータによりフィールドデバイスで編集を受け、
前記フィールドデバイスからの編集されたメタデータと共に、捕捉されたオーディオビジュアル情報を受けるサーバにメタデータを送信するステップと、
前記フィールドデバイスから編集されたメタデータに従ってサーバで受信されたメタデータをアップデートするステップと、
を含むことを特徴とする方法。
【請求項１１】
無線通信ネットワークを通してフィールドデバイスにメタデータを伝達するステップを有する、
請求項１０記載の方法。
【請求項１２】
前記サーバで受信されたメタデータをアップデートするステップは、
前記フィールドデバイスに送信されたメタデータにアイデンティフィケーションを割り当てるステップと、
前記サーバに送信されたメタデータに同じアイデンティフィケーションを割り当てるステップと、
前記フィールドデバイスからの編集された第一のメタデータを、前記アイデンティフィケーションを使用して前記サーバに送信された第二のメタデータと整合させるステップと、
を更に含むことを特徴とする請求項１０記載の方法。
【請求項１３】
前記フィールドデバイスに送信されるメタデータは、アサインメントデータ、ロケーションデータ、要員データ、ストーリデータ、及びインタビューのための個人のデータのうちの少なくとも１つに関連する情報を含む、
請求項１０記載の方法。
【請求項１４】
捕捉装置からのオーディオ及び／又はビデオ情報のうちの１つに、前記フィールドデバイスからの編集されたメタデータを組み込むステップと、
前記第一の編集されたメタデータを組み込むオーディオ及び／又はビデオ情報のうちの１つを前記サーバに送信するステップと、
を更に含む請求項１記載の方法。
【国際調査報告】
2009507421.tif 000005
2009507421.tif 000006